(57)【要約】  可撓性のシート材料のラッパー１０６で包まれた複数の面を持つ喫煙物品の束１０４と、パック本体１０８と、パック本体にヒンジ留めされたパックリッド１１０を備えるハウジング１０２と、を備える、喫煙物品のヒンジリッドパック１００。ラッパーの概して内側表面の自由端のへりは、束の第二の面でラッパーに接着されるフィンシール１１２を形成するように、束の第一の面１１４の上で一緒に接着される。【選択図】図１
2018520062.tif 000002
【特許請求の範囲】
【請求項１】
喫煙物品の容器であって、
可撓性のシート材料のラッパーの中に包まれた複数の面と、前記束の第一の面の上で一緒に接着されて前記ラッパーの残りと折り目に沿って結合されるフィンシールを形成する、前記ラッパーの概して内側表面の自由端のへりを持つ、喫煙物品の束と、
前記包まれた束の周りの外側ハウジングと、を備え、
前記フィンシールが前記折り目に平行な前記束の端の周りで折り曲げられ、前記フィンシールが前記束の第二の面の上で前記ラッパーに接着される、容器。
【請求項２】
前記第一の面に相反する前記包まれた束の面に第二のフィンシールが提供され、前記第二のフィンシールが前記包まれた束の別の面に接着される、請求項１に記載の容器。
【請求項３】
前記第二のフィンシールが前記包まれた束の前記第二の面に接着される、請求項１または２に記載の容器。
【請求項４】
前記包まれた束の面に接着され、前記束の前記第一の面および前記第二の面のうちの少なくとも１つの上に前記ラッパーの少なくとも一部に延びて接着され、前記フィンシールをこれらに固定する、フィンシール保持パネルをさらに備える、請求項１、２、または３に記載の容器。
【請求項５】
前記包まれた束が直方体であり、前記フィンシール保持パネルが概して十字形であり、前記第二の面および前記第二の面に隣接する前記４つの面に接着される、請求項４に記載の容器。
【請求項６】
前記第一の面に相反する前記包まれた束の第三の面に第二のフィンシールが提供され、前記フィンシール保持パネルが前記第三の面に接着されて前記第二のフィンシールをこれに固定する、請求項４、５または６に記載の容器。
【請求項７】
前記第一の面が前記第二の面に隣接する、請求項１〜６のいずれか１項に記載の容器。
【請求項８】
ヒンジがパックの後部壁にわたり、また前記フィンシールが前記パックの側壁に形成される、請求項１〜７のいずれか１項に記載のヒンジリッドパック。
【請求項９】
２つのフィンシールを含み、それが前記パックの各々の側壁の上に一つずつある、請求項８に記載のヒンジリッドパック。
【請求項１０】
前記束の第二の面が前記後面である、請求項１と請求項８または９に記載のヒンジリッドパック。
【請求項１１】
請求項１に記載の喫煙物品の容器を作製する方法であって、
喫煙物品の束を提供することと、
複数の面を持つ喫煙物品の包まれた束を形成するように、前記束を可撓性のシート材料のラッパーの中に包むことと、
前記束の第一の面で前記ラッパーの前記概して内側表面の自由端のへりを一緒にすることと、
フィンシールを形成するように前記自由端のへりを一緒に接着することと、
前記フィンシールを前記包まれた束の第二の面の上に折り曲げることと、
前記フィンシールを前記第二の面に接着することと、
外側ハウジングを前記包まれた束の周りに提供することと、をさらに含む方法。
【請求項１２】
外側ハウジングを前記包まれた束の周りに提供する前記工程が、ヒンジリッドパックのブランク材を提供することを含む、請求項１１に記載の方法。
【請求項１３】
前記包まれた束の周りに外側ハウジングを提供する前記工程が、前記包まれた束の周りを前記ハウジングのブランク材で包むことを含み、また前記ハウジングのブランク材が前記包まれた束の周りを包む時に、前記フィンシールが前記第二の面の上に折り曲げられる、請求項１１または１２に記載の方法。
【請求項１４】
請求項４に記載の喫煙物品の容器を作製する、請求項１１、１２、または１３に記載の方法であって、
フィンシール保持パネルを提供することと、
前記フィンシール保持パネルを前記ラッパーの面、および前記ラッパーの前記第一の面または前記第二の面の少なくとも一部に接着して前記フィンシールをこれらに固定することと、
外側ハウジングを前記包まれた束の周りに提供することと、をさらに含む方法。
【請求項１５】
さらなるフィンシールが前記第一の面と相反する前記束の面の上に提供される、請求項１１〜１４のいずれか１項に記載の方法。
【発明の詳細な説明】
【技術分野】
【０００１】
本発明は、紙巻たばこまたはその他の喫煙物品のヒンジリッドパックなどの喫煙物品の容器に関する。
【背景技術】
【０００２】
紙巻たばこおよびその他の喫煙物品は通常厚紙のパックの中に入った状態で販売され、パックの中で紙巻たばこまたはその他の喫煙物品は金属箔またはポリプロピレンなどの可撓性のシート材料の中に包まれた束の状態で保持される。シールはせずにシート材料で束の周りを包んでもよく、または紙巻たばこまたはその他の喫煙物品をより効果的に保つために束の周りがシールされてもよい。シート材料はエンベロープシールによってシールされてもよく、ここではシートの一方の端のへりの下面が別の端のへりの上面の上にあり、これに接着される。またはシート材料はフィンシールによってシールされてもよく、ここではシートの両端のへりの下面が一緒に接着され、フィンシールにすぐ隣接してシート材料に対して平坦に折り曲げられる。
【発明の概要】
【発明が解決しようとする課題】
【０００３】
エンベロープシールは、シールとしてはフィンシールより効果が低いとされており、エンベロープシールについてはフィンシールと比較して欠陥をより多く持つ傾向がある。ところが、比較的厚いフィンシールは、束の有効なサイズがエンベロープシールを用いたものより大きいため、パックの高速製造にとっては悪い影響を持ち、またフィンシールはヒンジ留めされたリッドの開口部など、パックの機能性と干渉する場合がある。フィンシールがシールにすぐ隣接してシート材料の上にあり、シート材料の３倍の厚さを持つのに比べて、エンベロープシールはシート材料の２倍の厚さしか持たない。
【課題を解決するための手段】
【０００４】
本発明の第一の態様では、可撓性のシート材料のラッパーの中に包まれた複数の面を持つ喫煙物品の束を備える喫煙物品の容器と、フィンシールを形成するために束の第一の面の上で一緒に接着されるラッパーの概して内側表面の自由端のへりと、包まれた束の周りの外側ハウジングと、が提供され、フィンシールは束の第二の面の上でラッパーに接着される。
【０００５】
本発明の一部の実施形態は、包まれた束の面に接着され、束の第一の面および第二の面のうちの少なくとも１つの上でラッパーの少なくとも一部に延びて接着され、フィンシールをこれらに固定する、フィンシール保持パネルをさらに備える。
【０００６】
本発明の第一の態様の一部の実施形態では、前記第一の面に相反する包まれた束の面の上に第二のフィンシールが提供され、ここで第二のフィンシールは包まれた束の別の面に接着される。こうした一部の実施形態では、第二のフィンシールは、包まれた束の前記第二の面に接着される。
【０００７】
本発明の第二の態様では、可撓性のシート材料のラッパーの中に包まれた複数の面を持つ喫煙物品の束を備える喫煙物品の容器と、フィンシールを形成するために束の第一の面の上で一緒に接着されるラッパーの概して内側表面の自由端のへりと、包まれた束の周りの外側ハウジングと、包まれた束の第二の面に接着され、束の第一の面の上でラッパーの少なくとも一部に延びて接着され、フィンシールをこれらに固定する、フィンシール保持パネルと、が提供される。
【０００８】
本発明の第二の態様の一部の実施形態では、包まれた束は直方体であり、またフィンシール保持パネルは概して十字形であり、第二の面および第二の面に隣接する４つの面に接着される。この文脈では「隣接する」とは、複数の面が共通の端を持つことを意味する。
【０００９】
本発明の第二の態様の一部の実施形態では、前記第一の面に相反する包まれた束の第三の面に第二のフィンシールが提供され、またフィンシール保持パネルは第二のフィンシールをこれに固定するように前記第三の面に接着される。
【００１０】
本発明の第二の態様の一部の実施形態では、第一の面は第二の面に隣接する。
【００１１】
フィンシールは、束の周りのシート材料ラッパーの自由端のへりの内側表面を一緒にすることによって作製される。端のへりは、例えば、熱または接着剤によって一緒にシールされ、またシールは、その上にシールが形成される包まれた束の面にわたる折り目に沿って、ラッパーの残りに対して折り曲げられる。フィンシールは、概してシールの自由端から、またはこの自由端の近くからパックに向かって延びる、シールされた部分を含む。このシールされた部分はシールがラッパーの残りの部分と結合する折り目まで延びてもよいが、シールされた部分と折り目との間には通常シールされていない部分があり、端のへりは相互に重なるが、一緒に接着されてはいない。
【００１２】
パックの側壁の一方または両方の上にフィンシールを提供することが喫煙物品の束の形状の保持を支援することが分かっている。本発明の一部の実施形態では、容器はヒンジリッドパックであり、ヒンジはパックの後部壁にわたり、フィンシールはパックの側壁の上に形成される。一部のこうした実施形態では、束の第二の面は後面である。本発明の一部の実施形態では、２つのフィンシールがあり、それがパックの各々の側壁の上に一つずつある。
【００１３】
本発明の第一の態様による容器では、フィンシールは、束の第一の面にわたって折り曲げられ、第二の面に貼り付けられることによって、ラッパーに対して密接に保持される。これはエンベロープシールのみを持つ束と比較して束の寸法の差異を最小化するため、束を従来の包装機械で加工することが可能となる。本発明の第二の態様の容器では、フィンシールは保持パネルによってラッパーに対して密接に保持される。本発明による容器上のフィンシールは、開閉する時に容器リッドの適切な作用と干渉しない。ヒンジリッドパックの事例ではこれは特に重要である。ヒンジリッドパックは、紙巻たばこおよびその他のロッド様の喫煙物品の包装のために一般的に使用される。ヒンジリッドパックは直方体（すなわち、６つの長方形の面を有する標準パック）であり、また喫煙物品を保持する本体部分と、通常はパックの後部壁と呼ばれる壁にわたってパックにヒンジ留めされたリッドとを備える。ヒンジリッドパック上では、パックリッドは、リッドがパック本体にヒンジ留めされる後部壁に加えて、側壁および前部壁を持つ。一般にパックリッドの側壁は、リッドが開閉する時にパック本体の側壁の上を摺動し、フィンシールによって生じたパック本体の何らかの歪みは、パック本体の側壁がパックリッドの側壁と干渉し、リッドの滑らかな作動、特にリッド閉鎖を妨げる原因となる場合がある。本発明は、包まれた束の幅に対するフィンシールによる追加が可能な限り小さくなるようにし、リッドが滑らかに開閉しなくなるリスクを最小化する。
【００１４】
本発明は、喫煙物品の束を提供することと、複数の面を持つ喫煙物品の包まれた束を形成するように束を可撓性のシート材料のラッパーの中に包むことと、束の第一の面の上でラッパーの概して内側表面の自由端のへりを一緒にすることと、フィンシールを形成するように前記自由端のへりを一緒に接着することと、フィンシールを包まれた束の第二の面の上に折り曲げることと、フィンシールを前記第二の面へと接着することと、包まれた束の周りに外側ハウジングを提供することと、を含む、本発明の第一の態様による喫煙物品の容器を作製する方法も提供する。
【００１５】
一部の実施形態では、方法は、フィンシール保持パネルを提供することと、フィンシール保持パネルをラッパーの面およびラッパーの第一の面または第二の面の少なくとも一部に接着してフィンシールをこれらに固定することと、包まれた束の周りに外側ハウジングを提供することと、をさらに含む。
【００１６】
本発明は、喫煙物品の束を提供することと、複数の面を持つ喫煙物品の包まれた束を形成するように束を可撓性のシート材料のラッパーの中に包むことと、束の第一の面の上でラッパーの概して内側表面の自由端のへりを一緒にすることと、フィンシールを形成するように前記自由端のへりを一緒に接着することと、フィンシール保持パネルを提供することと、フィンシール保持パネルをラッパーの第二面およびラッパーの第一の面の少なくとも一部に接着してフィンシールをこれらに固定することと、包まれた束の周りに外側ハウジングを提供することと、を含む、本発明の第二の態様による喫煙物品の容器を作製する方法も提供する。
【００１７】
本発明による一部の方法では、前記第一の面と相反する束の面上にさらなるフィンシールが提供される。
【００１８】
本発明による一部の方法では、包まれた束の周りに外側ハウジングを提供する工程は、包まれた束の周りをハウジングのブランク材で包むことを含む。本発明の第一の態様によるこうした容器を作製する方法では、ハウジングのブランク材が包まれた束の周りを包む時に、フィンシールは第二の面の上に折り曲げられる。
【００１９】
本発明による一部の方法では、包まれた束の周りに外側ハウジングを提供する工程は、包まれた束の周りをヒンジリッドパック用のブランク材で包むことを含む。
【００２０】
本発明による容器は、容器の構造的弾力性を増大するために容器の内側に内側フレームを含んでもよい。内側フレームは、前部壁および相対する側壁の対を持つＵ字形状の内側フレームであることが好ましい。「Ｕ字形状」という用語は、３つの部分を含む形状を意味するために使用され、第一の部分と第三の部分とは相互に平行であり、第二の部分と直角をなす同一の方向に延びる。内側フレームの前部壁は、容器の前部壁に隣接して提供されることが好ましい。有利なことに、パッケージの前部壁に隣接して提供される大きな表面積を有する内側フレームは、容器の構造的強度を増大する。内側フレームによって提供される増大した構造強度により、閉鎖パネルのより確実な閉鎖が許容される。これは、その後容器が完全に充填されていない時に閉じる操作のために、特に有利である。内側フレームは、物品を容器から取り出すことをより簡単にするために、前部壁の上部に切り抜きを持つことが好ましい。
【００２１】
本明細書で使用される場合、「前部」、「後部」、「上側」、「下側」、「頂部」、「底部」および「側部」という用語は、容器が直立位置にある時、外側ハウジングのリッドが閉位置にあり、存在する場合はヒンジ線を容器の後部にある、本発明による容器およびその構成要素の部分の相対的な位置を意味する。本発明による容器を記述する時、描写する容器の向きに関係なく、これらの用語が使用される。容器の後部壁は、ヒンジ線を有する壁である。
【００２２】
「長軸方向」という用語は底部から上部またはその反対の方向を意味する。「横断する」という用語は、容器の前部壁（または後部壁）を横切って、長軸方向と直角をなす方向を意味する。
【００２３】
本明細書で使用される場合、「高さ」という用語は容器の長軸方向の寸法を意味する。「幅」という用語は、接着ラベルが内側パッケージに貼り付けられた時の横断方向の寸法を意味する。
【００２４】
「ヒンジ線」という用語は、容器を開くために、その周りをリッドが旋回することができる線を意味する。ヒンジ線は、例えば、容器の後部壁を形成するパネル内の折り目、縦罫線、または横罫線であってもよい。
【００２５】
本発明による容器のハウジングは、厚紙、板紙、プラスチック、金属、またはその組み合わせを含むがこれに限定されない、任意の適切な材料から形成されてもよい。ハウジングは、折り曲げられた１つ以上の層状の厚紙ブランクから形成されることが好ましく、厚紙は約１００グラム／平方メートル〜約３５０グラム／平方メートルの重さを持つことが好ましい。
【００２６】
束ラッパーは可撓性のシート材料であってもよい。これは金属化高分子フィルムであることが好ましく、またヒートシール可能であってもよい。束ラッパー材料は、金属化ポリエチレンフィルムとライナー材料との積層として形成されてもよい。ライナー材料は、スーパー仕上げグラシンペーパーでもよい。さらに、内側パッケージ材料には、印刷受容性のトップコートを提供してもよい。
【００２７】
容器は、長軸方向に直角かつ横断方向に直角な端部を有する、２つのより幅狭い壁によって間隔を置いたより幅広い壁から成る直方体であることが好ましい。別の方法として、容器は、１つ以上の長軸方向の丸み付きの縁、横断方向の丸み付きの縁、長軸方向の面取りされた縁、または横断方向の面取りされた縁、またはその組み合わせを持っていてもよい。例えば、本発明による容器は以下を持っていてもよいが、これに限定されない。
前部壁上の１つまたは２つの長軸方向の丸み付きの縁または面取り付きの縁、および／または後部壁上の１つまたは２つの長軸方向の丸み付きの縁または面取り付きの縁、
前部壁上の１つまたは２つの横断方向の丸み付きの縁または面取り付きの縁、および／または後部壁上の１つまたは２つの横断方向の丸み付きの縁または面取り付きの縁、
前部壁上の１つの長軸方向の丸み付きの縁および１つの長軸方向の面取り付きの縁、および／または後部壁上の１つの横断方向の丸み付きの縁および１つの横断方向の面取り付きの縁、
前部壁上の１つまたは２つの横断方向の丸み付きの縁または面取り付きの縁、および後部壁上の１つまたは２つの長軸方向の丸み付きの縁または面取り付きの縁、
第一の側壁上の２つの長軸方向の丸み付きの縁または面取り付きの縁、または第二の側壁上の２つの横断方向の丸み付きの縁または面取り付きの縁。
【００２８】
容器が面取り付きの縁を含む場合、面取り付きの縁は、約１ｍｍ〜約１０ｍｍの幅を持つことが好ましく、約２ｍｍ〜約６ｍｍの幅を持つことが好ましい。別の方法として、容器は、２つの明確な面取りが容器の縁の上に形成されるように間隔を置いた、３本の平行な縦罫線または横罫線によって形成された二重面取りを含んでもよい。別の方法として、容器は、例えば、多角形（三角形または六角形など）、または半楕円形、または半円形といった、非長方形の横断断面を持っていてもよい。
【００２９】
本発明による容器は、紙巻たばこ、葉巻たばこ、またはシガリロなどの、細長い喫煙物品用のパックとしての特定の用途がある。当然のことながら、容器の寸法を適切に選択することにより、本発明による容器は、異なる数の従来サイズ、キングサイズ、スーパーキングサイズ、スリム、またはスーパースリムの紙巻たばこ用に設計されてもよい。別の方法として、その他の消費財を容器内に収容してもよい。
【００３０】
容器の寸法の適切な選択によって、本発明による容器は、異なる合計数の喫煙物品、または異なる配置の喫煙物品を保持するよう設計されてもよい。例えば、本発明による容器は、合計１０〜３０個の喫煙物品を保持するように設計されてもよい。
【００３１】
本発明を、例証として以下の図面を参照しながらさらに説明する。
【図面の簡単な説明】
【００３２】
【図１】図１は、本発明の第二の態様による容器の前方および一方の側面からの等角図を示す。
【図２】図２は、図１のハウジングが図示されていない、図１のパックの束の後方および一方の側面（図１の束の方向に関連して）からの等角図を、図１のハウジングを図示せずに示す。
【図３】図３は、本発明の第一の態様による容器の前方および一方の側面からの等角図を示す。
【００３３】
図１および図３の容器はヒンジリッドパックであり、その外側ハウジングは類似の設計および構造であり、また両方の図で同一の参照符号によって同様の要素が示される。パック１００、３００は各々、厚紙でできた外側ハウジング１０２および金属化高分子フィルムのラッパー１０６、３０６によって囲まれている紙巻たばこ（図では見えない）の包まれた束１０４、３０４を備える。外側ハウジング１０２は、パック本体１０８と、ハウジングの後部壁にわたるヒンジ線（図では見えない）に沿って本体にヒンジ留めされたパックリッド１１０とを備え、各々は相対する前部壁および後部壁ならびに相対する側壁を持ち、パック本体１０８は、底部壁（図では見えない）を持ち、またパックリッド１１０は上部壁（図では見えない）を持つ。
【００３４】
図１のパック１００の束１０４のラッパー１０６は紙巻たばこの周りを包み、また束の側面１１４に縦方向のフィンシール１１２が形成される。フィンシール１１２はラッパー１０６の残りの部分から延びる。フィンシール１１２はラッパー１０６の残りの部分から折り目１１６に沿って延びる。フィンシールは縦方向の折り目１１６に沿って束の側面１１４の下へとラッパー１０６の残りの部分に結合される。図２に示すように、類似のフィンシール１１２’がもう一方の側壁の上に形成される。各々のフィンシール１１２、１１２’は、ラッパー１０６の内側表面の自由端のへりで形成される。これらは一緒にされ、フィンシールを形成するように一緒にヒートシールされる。その他の実施形態では、接着剤を用いて端のへりを一緒にシールすることができる。各々のフィンシールは、シールの自由端から束に向かって延びるシールされた部分１１６、１１６’と、シールされた部分からラッパー１０６の中の折り目１２０へ延び、シールが作製される側面１１４に縦下方向に折り目が延びる、シールされていない部分１１８とを備える。シールされた部分は、ラッパーの自由端から約０．６ｃｍ〜約２ｃｍ延びることが好ましく、またシールの全長は約２ｃｍ〜４ｃｍであることが好ましい。
【００３５】
図１のパック１００の各々のフィンシール１１２、１１２’は、包まれた束１０４のそれぞれの側面１１４と後部壁１２０との間で、それぞれの縁の周りに密接に折り曲げられ、束ラッパー１０６に接着される。これは、束ラッパーに対してフィンシールを密接に保持し、束１０４の形状の保持を支援し、かつシールがリッド１１０の動作を妨げないことを保証する。
【００３６】
図１の実施形態では、束ラッパー１０６はセルフシールである。束ラッパーは、束１０４の中の紙巻たばこへのアクセスを提供する開口部１２４をその上面および前面に有し、束ラッパーは、わずかに開口部１２４より大きく、パックが閉じている時に束ラッパー１０６の上にあるへり１２８の周りに再び封じることができる接着剤を持つ、閉鎖パネル１２６によって閉じられる。閉鎖パネル１２６の下方（パックが閉じている時）端は、パックリッド１１０の下方前端の内側にしっかりと固定される。パックが開けられる時、リッドの動きは閉鎖パネルをラッパー１０６から剥がしてラッパーにある開口部１２４を露出させ、それによりパック内の紙巻たばこへのアクセスを与える。リッドが閉じられる時、閉鎖パネルが開口部の上を通ってラッパー上にもたらされ、再び封じることができる接着剤によってシールされる。
【００３７】
図１のヒンジリッドパック１００の製造では、紙巻たばこの束は紙巻たばこのホッパーから提供される。一般的には、これは７−６−７の構成の２０本の紙巻たばこの束であるが、その他の数の紙巻たばこおよびその他の構成が提供されてもよい。金属化高分子フィルムまたはその他のラッパー材料のシートが束を包み、図１に示すセルフシール束の場合は、ラッパーはその中に開口部１２４を持ち、閉鎖パネル１２６は開口部の上に配置される。フィンシールは、シートの自由端のへりを束の２つの側壁および底部壁とを一緒にすることで、これらの各々の壁の上に形成され、ヒートシールまたはその他の方法でこれらを一緒に接着して、上述の通りにフィンシールを形成する。その後、包まれた束１０６は、ヒンジリッドパックのブランク材で包まれる。束１０６の周りをブランク材で包む時、フィンシール１１２、１１２’は後ろに撫で付けられ、束の側壁１１４と後部壁１２２との間の縁の周りで、折り目１２０に沿って束の側壁１１４に対して折り曲げられ、かつ後部壁に接着される。束をヒンジリッドパックのブランク材を用いて包むことが完了され、閉鎖パネルの下端がリッドの下縁端へ固定され、従来の様式でオーバーラップされうる完成したパックを形成する。
【００３８】
図３のパックでは、パック１００の束１０４のラッパー１０６は紙巻たばこの周りを包み、また束の側面３１４の各々の上に縦方向のフィンシール３１２が形成される（そのうちの１つが図３で図示されている）。フィンシール３１２は、図１および図２の実施形態のものと同一の構築である。各々のフィンシール３１２は、包まれた束３０４の後部壁または前部壁の上へと折り曲げられるように十分長くすることができ、またはフィンシール３１２が形成される側面３１４の上にのみ折り曲げられるように十分短くすることができる。束のフィンシール３１２は十字形シール保持パネル３１６によって包まれた束３１４に対して密接に保持される。保持パネルは、例えば、高密度ポリエチレン（ＨＤＰＥ）、低密度ポリエチレン（ＬＤＰＥ）二軸延伸ポリプロピレン（ＢＯＰＰ）、ナイロン、ポリスチレン、セロハン（商標）および酢酸セルロースなどのセルロースフィルム、ポリ塩化ビニル（ＰＶＣ）、紙（例えば、大麻繊維から作製された紙）、ポリエチレンテレフタラート（ＰＥＴ）、金属化プラスチックフィルム、および前述のものの混合物などの可撓性材料のシートである。保持パネルは有利なことに約４０μｍ〜約１２０μｍの厚さである。保持パネルは、十字の形態のシートであり、十字の腕部分が合う十字の中央部分は、包まれた束３０４の上面より側面間の幅および前面と後面との間の奥行がわずかに小さく、また十字の腕部は束の前面、後面、および側面の向きに少し下まで延びる。保持パネル３１６は、束の上面、ならびに前面、後面、および側面に接着され、フィンシールを束の側面に対して保持して、フィンシールによって提供される余分な側面間の幅を最小化する。フィンシール３１２が包まれた束の前面または後面の上に折り曲げられるように十分に長い実施形態では、保持パネルはフィンシールをその壁に対しても保持する。その他の実施形態では、保持パネルは十字形ではないが、フィンシールが折り曲げられる束の面および隣接した面にのみ延びる。
【００３９】
図３に示す実施形態では、虚弱線３１８、例えば、横罫線は、束を開いて紙巻たばこへのアクセスを得ることを支援するために包まれた束３０４の上面および前面にわたって延びる。
【００４０】
図３の実施形態のパックに対する製造プロセスは、図１のパックに対するものと同様である。包まれた束がヒンジリッドのブランク材の中に包まれると、フィンシール３１２は包まれた束３０６の側面３１４上に折り曲げるように撫で付けられる。シール保持パネル３１６は包まれた束の上部壁、前部壁、後部壁、および側壁に取り付けられ、シール３１２を束に対して定位置に保持し、束をヒンジリッドのブランク材で包むことが完了する。パックは、従来の様式でオーバーラップされてもよい。
【００４１】
当然のことながら、本発明による容器では、フィンシールは束の任意の面の上に作製することができ、また束は１つ、２つ、３つ、またはそれ以上のフィンシールを有してもよく、そのいずれかまたはすべては本発明の第一の態様もしくは第二の態様、またはこれらの両方による束に対して保持される。
【００４２】
フィンシールが束に対して密接に保持されることを確実にすることによって、束を従来の梱包機械で、通常の梱包速度で外側ハウジングの中に包むことができるようになる。これにより、フィンシールを汚染することなくヒンジリッドパックのリッドを確実に開閉することができ、開いた容器の望ましい外観に貢献する。
【図１】
2018520062.tif 000003
【図２】
2018520062.tif 000004
【図３】
2018520062.tif 000005
【国際調査報告】
2018520062.tif 000006
2018520062.tif 000007
2018520062.tif 000008